(57)【要約】【課題】  法面緑化において、コンクリート法枠を不要とし、柔構造のたわみ理論を導入したジオグリッドによる法面全面の強度を確保して、大幅な工期短縮と経費削減を実現するとともに、法面の全面緑化による美しい景観を実現する。【解決手段】  法面清掃後、引張強度に優れる硬質樹脂ネットによるジオグリッド１０を法面に敷設する。続いて、ジオグリッド１０が敷設された法面に土留めアンカー２０を打ち込んで、そのアンカー２０頭部にジオグリッド１０を固定する。そして、以上によりジオグリッド１０が敷設してアンカー２０により固定された法面全面に緑化基材４０を厚層状に吹き付ける。また、オプションとして、緑化基材４０を厚層状に吹き付ける前に、アンカー２０頭部に、周囲がジオグリッド３１で囲まれた植栽ユニット３０を取り付けておく。【選択図】        図２
2005023722.tif 000002
【特許請求の範囲】
【請求項１】
引張強度に優れる硬質樹脂ネットによるジオグリッドを法面に敷設する工程と、
前記ジオグリッドが敷設された法面に土留めアンカーを打ち込んで、そのアンカー頭部に前記ジオグリッドを固定する工程と、
前記ジオグリッドが敷設かつアンカー固定された法面全面に緑化基材を厚層状に吹き付ける工程とからなることを特徴とする法面緑化工法。
【請求項２】
前記緑化基材を厚層状に吹き付ける工程の前に、
前記アンカー頭部に、周囲がジオグリッドで囲まれた植栽ユニットを取り付けておく工程を含むことを特徴とする請求項１に記載の法面緑化工法。
【発明の詳細な説明】
【技術分野】
【０００１】
本発明は、コンクリート枠を不要として全面緑化を可能とした法面緑化工法に関する。
【背景技術】
【０００２】
法面緑化技術として、先ず、法面の安定を図るためにコンクリート法枠を施工した後、そのコンクリート法枠により仕切られた法面に緑化基材を厚層状に吹き付けるようにした工法がある（例えば、特許文献１参照）。
【特許文献１】特許第３１４９１６２号公報（図３及び図４）
【発明の開示】
【発明が解決しようとする課題】
【０００３】
従来のコンクリート法枠により仕切られた法面に緑化基材を層状に吹き付ける法面緑化工法では、コンクリート法枠の施工に工期と経費を要し、また、コンクリート法枠が露出して景観上好ましくない問題があった。
【０００４】
本発明の課題は、法面緑化において、コンクリート法枠を不要とし、柔構造のたわみ理論を導入したジオグリッドによる法面全面の強度を確保して、大幅な工期短縮と経費削減を実現するとともに、法面の全面緑化による美しい景観を実現することである。
【課題を解決するための手段】
【０００５】
以上の課題を解決するため、請求項１に記載の発明は、例えば、図１から図３に示すように、引張強度に優れる硬質樹脂ネットによるジオグリッド１０を法面に敷設する工程と、前記ジオグリッド１０が敷設された法面に土留めアンカー２０を打ち込んで、そのアンカー２０頭部に前記ジオグリッド１０を固定する工程と、前記ジオグリッド１０が敷設かつアンカー固定された法面全面に緑化基材４０を厚層状に吹き付ける工程とからなる法面緑化工法を特徴とする。
【０００６】
ここで、ジオグリッドとは、耐久性に優れた高強度ポリエステル繊維を格子状に繊編し、アクリル系樹脂を含浸しコーティングしたものであり、特に縦横方向に均一な引張強度１０ｔｆ／ｍを具備する超強度のコスモグリッド（登録商標；技術審査証明書第１２０５号）がある。
【０００７】
請求項１に記載の発明によれば、ジオグリッドが敷設された法面に打ち込んだ土留めアンカーの頭部にジオグリッドを固定したことにより、柔構造のたわみ理論を導入したジオグリッドによる法面全面の強度を確保できる。従って、コンクリート法枠を不要として、法面緑化の大幅な工期短縮と経費削減を実現できる。
【０００８】
そして、以上によりジオグリッドが敷設された法面全面に緑化基材を厚層状に吹き付けることで、法面の全面緑化による美しい景観を実現できる。
【０００９】
さらに、アンカーは、法面表層のすべりを止めるだけでなく、ジオグリッド表面に緑化した草木類が台風や強風により倒壊するのを防止する根の役目も果たす利点がある。
【００１０】
請求項２に記載の発明は、請求項１に記載の法面緑化工法であって、例えば、図６及び図１０に示すように、前記緑化基材４０を厚層状に吹き付ける工程の前に、前記アンカー２０頭部に、周囲がジオグリッド３１で囲まれた植栽ユニット３０を取り付けておく工程を含むことを特徴とする。
【００１１】
請求項２に記載の発明によれば、法面にジオグリッドを固定するアンカー頭部を利用して、周囲がジオグリッドで囲まれた植栽ユニットを取り付けることができ、植栽ユニットにより自然植生復元も早期に実現することができる。
【発明の効果】
【００１２】
請求項１に記載の発明によれば、ジオグリッドが敷設された法面に打ち込んだ土留めアンカーの頭部にジオグリッドを固定したことにより、柔構造のたわみ理論を導入したジオグリッドによる法面全面の強度を確保できる。従って、コンクリート法枠を不要として、法面緑化の大幅な工期短縮と経費削減を実現できる。
【００１３】
そして、以上によりジオグリッドが敷設された法面全面に緑化基材を厚層状に吹き付けることで、法面の全面緑化による美しい景観を実現できる。
【００１４】
さらに、アンカーは、法面表層のすべりを止めるだけでなく、ジオグリッド表面に緑化した草木類が台風や強風により倒壊するのを防止する根の役目も果たす利点がある。
【００１５】
請求項２に記載の発明によれば、請求項１に記載の発明により得られる効果に加え、法面にジオグリッドを固定するアンカー頭部を利用して、周囲がジオグリッドで囲まれた植栽ユニットを取り付けることができ、植栽ユニットにより自然植生復元も早期に実現することができるといった利点が得られる。
【発明を実施するための最良の形態】
【００１６】
以下、図を参照して本発明の実施の形態を詳細に説明する。
【００１７】
本発明の法面緑化工法は、１．法面清掃工程、２．ジオグリッド敷設工程、３．土留めアンカー工程、４．花壇工程（オプション）、５．緑化基材厚層吹き付け工程からなる。
【００１８】
本発明による施工法面の概略断面を示した図１において、１０はジオグリッド、２０はアンカー、３０は植栽ユニット、４０は厚層緑化基材である。
「１．法面清掃工程」
先ず、次工程のジオグリッド敷設及びその後工程の緑化基材厚層吹き付けに先立ち、施工面となる法面地表のゴミ、浮き根、浮き石などを除去し、緑化基材の付着を害するものを取り除いておく。
「２．ジオグリッド敷設工程」
この工程では、耐久性に優れた高強度ポリエステル繊維を格子状に繊編し、アクリル系樹脂を含浸しコーティングしたジオグリッドを使用する。ジオグリッドとしては、特に縦横方向に均一な引張強度１０ｔｆ／ｍを具備する超強度のコスモグリッド（登録商標；技術審査証明書第１２０５号）を採用することで、法面補強としてコンクリート法枠と同等以上の耐久性を達成できる。
【００１９】
ここで、従来は、高密度ポリエステルを素材とするグリッドで、延伸法による低引張強度（縦横４００ｋｇ／ｍ程度）のものであった。これに対しコスモグリッドは、耐久性に優れた高強度ポリエステル繊維を縦横に編んだ織布で、即ち、格子状に織編したもので、これにアクリル系樹脂を含浸しコーティングすることにより、従来の延伸法より遙かに超引張強度のグリッドになる。
【００２０】
そして、図１２に示したように、使用するジオグリッド（コスモグリッド）１０は、通常織編部１１に加えて、縦糸を密に織偏した縦方向の密織編部１２と横糸を密に織偏した横方向の密織編部１３を有している。即ち、このような縦横方向の密織編部１２・１３による更なる補強が図られている。
【００２１】
以上のジオグリッド１０の敷設は、具体的には、例えば、一枚が幅２ｍ×長さ３０ｍのジオグリッド（コスモグリッド；以下省略）１０を法面地表に端を重ね合わせて（例えば、１０ｃｍラップ）張っていく。こうしてジオグリッド１０を敷設した状態を図９に示した。
「３．土留めアンカー工程」
この工程では、ジオグリッド１０が敷設された施工面に対し縦横等間隔にアンカー２０を打ち込んで、そのアンカー２０の頭部にジオグリッド１０を固定する。
【００２２】
先ず、例えば、バックホウ式ドリル等の掘削機により縦横１．５ｍ間隔で削孔する。例えば、削孔径６５〜９０ｍｍ削孔長２〜５ｍの削孔を行う。この削孔は、ジオグリッド１０の縦横方向の密織編部１２・１３の交差部１４において行う。
【００２３】
一例として、削孔径６５ｍｍ削孔長４．１ｍの孔に、径２２ｍ長さ４．１ｍの補強材（亜鉛メッキ処理鉄筋）２１を挿入してグラウト材（モルタル）２２を充填する（図２、図４及び図６参照）ことで、アンカー２０を形成する。なお、図２において、仮想スベリ面Ｌを示している。
【００２４】
アンカー２０は、具体的には、図４に示すように、補強材（亜鉛メッキ処理鉄筋）２１の外周にスペーサー２３を設けてグラウト材（モルタル）２２を充填し固化させたものである。
【００２５】
このようなアンカー２０の法面から露出した頭部には、硬質ゴム（またはプラスチックス）パッキング２４が頭部プレート２５を重ねてナット２６の締め付けにより取り付けられる。硬質ゴム（またはプラスチックス）パッキング２４は縦横２０ｃｍ厚さ１０ｍｍ、頭部プレート２５は縦横２０ｃｍ厚さ９ｍｍのものを使用し、頭部プレート２５及びナット２６は亜鉛メッキ処理してある。
【００２６】
法面地表上のジオグリッド１０は硬質ゴム（またはプラスチックス）パッキング２４により押さえて固定される。
【００２７】
こうしてジオグリッド１０を、補強した縦横方向の密織編部１２・１３の交差部１４でアンカー２０に固定したことで、法面表層のすべり防止機能の面で極めて優れたものとなる。
「４．花壇工程（オプション）」
この工程は、必要に応じて施工するオプションであり、必要がなければ次の５．緑化基材厚層吹き付け工程に進む。
【００２８】
この工程では、図２及び図３に示すように、アンカー２０の頭部に植栽ユニット３０を取り付ける。
【００２９】
植栽ユニット３０は、図５から図７及び図１０にも示すように、周りを囲むジオグリッド３１、その内側に設けるヤシマット３２及びヤシユニット３３等からなる。ジオグリッド３１は、法面に対し垂直に半円形（例えば、平面視で半径６０ｃｍ）に設置するもので、例えば、中央部の最大高さが５０ｃｍとなる。ヤシマット３２は、ココナッツ繊維により形成されたもので、例えば、幅１ｍ厚さ２ｃｍのものを使用する。
【００３０】
ヤシユニット３３は、ココナッツ繊維により形成された袋（ヤシチューブ）の中に、有機質チップ（伐採材）、発酵促進材（発酵下水汚泥コンポスト）、ヤシピート（天然保水材）を混合して発酵土壌化させた環境林培土を充填して、苗木３４を植栽したものである。例えば、ヤシユニット３３は内径約３０ｃｍ長さ１ｍ重量３０ｋｇ程度である。
【００３１】
前述したように、法面に対し垂直に半円形に設置したジオグリッド３１の内側から法面表面のジオグリッド１０上にかけてヤシマット３２を重ね、その内方にヤシユニット３３を入れてその周囲に環境林培土３５を充填する。
【００３２】
そして、以上の植栽ユニット３０を、図３、図６及び図１０に示したように、上方から亜鉛びき鉄線３６により縛る。
「５．緑化基材厚層吹き付け工程」
この工程では、ジオグリッド１０が敷設された法面表面に緑化基材を吹き付けて一様な厚層を形成する。
【００３３】
具体的には、図示しない吹き付け機械において、先ずホッパーに植生基盤材（木質堆肥）と副資材（ピートモス）を入れ、ベルトコンベアにて、化成肥料、基盤活性材（発酵下水汚泥コンポスト）、保水材（ヤシピート）、接合剤、種子とともに撹拌槽タンク内に投入し、これらの材料を撹拌混合する。その後、スクイズ式の吹き付けポンプにて圧送し、ノズルより法面に吹き付ける。
【００３４】
こうしてムラのないよう均一に吹き付けて、図１、図２及び図１１に示すように、厚層緑化基材４０を形成する。この厚層緑化基材は、例えば、厚さ５ｃｍとする。
【００３５】
以上、本発明の法面緑化工法では、縦横方向に均一な引張強度１０ｔｆ／ｍを具備する超強度のジオグリッド１０の採用により、法面補強としてコンクリート法枠と同等以上の耐久性が達成できる。
【００３６】
従って、法面緑化において、コンクリート法枠に比べ、大幅に工期短縮並びに経費削減を実現できる。
【００３７】
さらに、アンカー２０は、法面表層のすべりを止めるだけでなく、ジオグリッド１１表面に緑化した草木類や花壇による樹木が台風や強風により倒壊するのを防止する根の役目も果たす。
【００３８】
具体的な施工例としては、４．花壇工程（オプション）を施工しないで、コンクリート法枠との対比において、工期を３０〜５０％短縮できるとともに、コストを２５〜４０％削減できた。
【００３９】
なお、以上の実施の形態においては、植栽ユニットを設けたが、本発明はこれに限定されるものではなく、植栽ユニットは設けなくても良い。
【００４０】
また、その他、具体的な寸法関係や細部構成等についても適宜に変更可能であることは勿論である。
【図面の簡単な説明】
【００４１】
【図１】本発明を適用した一実施の形態の構成を示すもので、本発明による施工法面の概略断面図である。
【図２】図１の部分拡大図である。
【図３】図２の一部を上方から見た概略図である。
【図４】図２に示されるアンカーの拡大断面図（ａ）とスペーサーを示した図（ｂ）（ｃ）である。
【図５】図３の植栽ユニットを構成する内容物を示す図（ａ）とそれを囲むジオグリッドを示す図（ｂ）である。
【図６】アンカー頭部への植栽ユニットの取り付け等を示す概略斜視図である。
【図７】ヤシユニットを示した概略斜視図である。
【図８】植栽ユニット設置部の厚層基材吹き付け後の状態を示した概略斜視図である。
【図９】ジオグリッド敷設後の施工法面を部分的に示した概略断面図である。
【図１０】植栽ユニット設置後の施工法面の一部を示した拡大断面図である。
【図１１】厚層基板吹き付け後の施工法面を部分的に示した概略断面図である。
【図１２】ジオグリッドの織編構成を示した概略平面図である。
【符号の説明】
【００４２】
１０  ジオグリッド
１２・１３  縦横方向の密織編部
１４  縦横方向の密織編部の交差部
２０  アンカー
２１  補強材（亜鉛メッキ処理鉄筋）
２２  グラウト材（モルタル）
２３  スペーサー
２４  硬質ゴム（またはプラスチックス）パッキング
２５  頭部プレート
２６  ナット
３０  植栽ユニット
３１  ジオグリッド
３２  ヤシマット
３３  ヤシユニット
３４  植栽
３５  環境林培土
３６  亜鉛びき鉄線
４０  厚層緑化基材
【図１】
2005023722.tif 000003
【図２】
2005023722.tif 000004
【図３】
2005023722.tif 000005
【図４】
2005023722.tif 000006
【図５】
2005023722.tif 000007
【図６】
2005023722.tif 000008
【図７】
2005023722.tif 000009
【図８】
2005023722.tif 000010
【図９】
2005023722.tif 000011
【図１０】
2005023722.tif 000012
【図１１】
2005023722.tif 000013
【図１２】
2005023722.tif 000014